(57)【要約】  作業者がウィルスや細菌に感染することを防止しながらも、作業者が快適に作業できる携帯式吸気殺菌装置を提供する。鼻又は口の少なくとも一方を覆うカバー体Ｃを設けるとともに、そのカバー体Ｃの内部空間への吸気部Ｋを設け、その吸気部Ｋからの吸気に伴ってその吸気中に二酸化塩素ガスを放出可能な二酸化塩素徐放部Ｊを設けてある。
2009051018.tif 000002
【特許請求の範囲】
【請求項１】
鼻又は口の一方又は両方を覆うカバー体を設けるとともに、そのカバー体の内部空間への吸気部を設け、その吸気部からの吸気に伴ってその吸気中に二酸化塩素ガスを放出可能な二酸化塩素徐放部を設けてある携帯式吸気殺菌装置。
【請求項２】
前記カバー体を構成するに、通気性を有しない椀状のマスク本体を設けるとともに、除塵フィルタを設けた前記吸気部を前記マスク本体に形成してあり、前記二酸化塩素徐放部は、前記除塵フィルタの内方側に配設してある請求項１に記載の携帯式吸気殺菌装置。
【請求項３】
前記カバー体を構成するに、通気性を有しない椀状のマスク本体を設けるとともに、前記二酸化塩素徐放部を設けた前記吸気部を前記マスク本体に形成してあり、そのマスク本体で覆われた内部空間に外気が流入する外気流入部を前記吸気部とは別に設け、その外気流入部からの流入量を調整する調整弁を設けてある請求項１に記載の携帯式吸気殺菌装置。
【請求項４】
前記マスク本体にそのマスク本体で覆われた内部空間から外方への排気のみを許容する逆止弁を設けてある請求項２又は３に記載の携帯式吸気殺菌装置。
【請求項５】
前記カバー体が、通気性を有する布又は不織布の一方又は両方からなるマスクであり、そのマスクが前記吸気部を兼用して構成してあり、二酸化塩素ガスを放出可能な二酸化塩素徐放材を前記マスクの内部に保持して前記二酸化塩素徐放部を形成してある請求項１に記載の携帯式吸気殺菌装置。
【請求項６】
前記吸気部を、前記カバー体に一端側が連通接続した可撓管の他端側に連通接続するように設け、前記吸気部に、二酸化塩素ガスを放出可能な二酸化塩素徐放材を設けた二酸化塩素発生源からなる前記二酸化塩素徐放部を形成してある請求項１に記載の携帯式吸気殺菌装置。
【請求項７】
前記二酸化塩素発生源は、吸気を通流させる複数の筒状部が一体に形成される断面形状がハニカム状又は格子状の発生源本体を設け、その発生源本体における前記複数の筒状部の夫々の内方側に、前記二酸化塩素徐放材を付設して構成してある請求項６に記載の携帯式吸気殺菌装置。
【請求項８】
前記二酸化塩素徐放材は、二酸化塩素ガスを吸着した吸着材から構成してある請求項５〜７のいずれかに記載の携帯式吸気殺菌装置。
【請求項９】
前記吸着材は、合成樹脂製のゲル剤、活性炭、ゼオライト、シリカゲルの内から選択される物である請求項８に記載の携帯式吸気殺菌装置。
【請求項１０】
前記吸気部を、前記カバー体に一端側が連通接続した可撓管の他端側に連通接続するように設け、前記吸気部に、電気分解により二酸化塩素ガスを発生させる電解装置から成る前記二酸化塩素徐放部を形成してある請求項１に記載の携帯式吸気殺菌装置。
【請求項１１】
前記電解装置は、塩化アルカリ，亜塩化アルカリ、及びｐＨ調整剤が含まれた電解液を収容する電解槽と、前記電解槽内の電解液中に浸漬する一対の電極と、その電極に電流を流す電源装置とを設けて構成してある請求項１０に記載の携帯式吸気殺菌装置。
【請求項１２】
前記電解槽内の電解液を曝気する曝気装置を設けてある請求項１１に記載の携帯式吸気殺菌装置。
【請求項１３】
前記曝気装置は、一端を前記電解液中に挿入すると共に、他端を前記カバー体に接続する呼気吹込み可撓管を設けて構成してある請求項１２に記載の携帯式吸気殺菌装置。
【請求項１４】
前記曝気装置は、電動式エアーポンプから成るものである請求項１２に記載の携帯式吸気殺菌装置。
【請求項１５】
前記吸気部からの吸気に伴って、その吸気中の二酸化塩素ガスの濃度が０．００１ｐｐｍ〜０．３ｐｐｍになるように前記二酸化塩素徐放部を形成してある請求項１〜１４のいずれか１項に記載の携帯式吸気殺菌装置。
【発明の詳細な説明】
【技術分野】
【０００１】
本発明は、吸気を殺菌するのに用いられる携帯式吸気殺菌装置に関するものである。
【背景技術】
【０００２】
例えば、ウィルスや細菌が浮遊する環境において作業者が作業を行なう場合において、作業者がウィルスや細菌に感染することを防止する必要がある。ちなみに、ウィルスや細菌が浮遊する環境において作業者が作業を行なう場合として、具体的には、医療従事者、救急隊員、疫学調査員等がインフルエンザウィルス等の呼吸器ウィルスに感染した患者に接触する場合や、作業員が鳥インフルエンザの発生した鶏舎を消毒する場合などが考えられる。
従来、ウィルスや細菌の感染を防止するために、外気を吸気する吸気部と、作業者の鼻及び口を覆うカバー体と、吸気部とカバー体の内部空間とを連通接続する可撓管とを設け、吸気部の内部に吸気部からの吸気を通過させるフィルタを設け、そのフィルタはウィルスや細菌を通過しないように構成してあるものがあった（尚、このような構成は周知慣用技術であり、適切な先行技術文献を開示できないものである。）。
【発明の開示】
【０００３】
上記従来例においては、吸気部からの吸気がフィルタを通過するときに、吸気に含まれるウィルスや細菌が除去されるので、作業者がウィルスや細菌に感染することを防止できるものの、特に、ウィルスは非常に小さい（鳥インフルエンザの場合は８０〜１２０ｎｍ）ものであり、そのように非常に小さいウィルスを通過しないようにするためには、フィルタの孔径を非常に小さくする必要があり、吸気がフィルタを通過するときの通流抵抗が非常に大きくなるため、作業者が息苦しくなる等、作業者が快適に作業できないものであった。
【０００４】
本発明は、上記実状に鑑みて為されたものであって、その目的は、作業者がウィルスや細菌に感染することを防止しながらも、作業者が快適に作業できる携帯式吸気殺菌装置を提供する点にある。
【０００５】
本発明の携帯式吸気殺菌装置の第１特徴構成は、鼻又は口の一方又は両方を覆うカバー体を設けるとともに、そのカバー体の内部空間に対する吸気部を設け、その吸気部からの吸気に伴ってその吸気中に二酸化塩素ガスを放出可能な二酸化塩素徐放部を設けてある点を特徴とする。
【０００６】
すなわち、二酸化塩素徐放部が二酸化塩素ガスを吸気中に放出して、その吸気に含まれるウィルスを失活又は細菌を殺菌するものであるから、カバー体に大気中のウィルスや細菌が吸気部以外の隙間から直接侵入しても作業者がウィルスや細菌に感染することを防止できる。したがって、吸気部からの吸気の通流抵抗が大きくなるフィルタを設けなくてもよく、作業者が息苦しくなることを極力抑制して、作業者が快適に作業できる。
したがって、作業者がウィルスや細菌に暴露して感染することを防止しながらも、作業者が快適に作業できる携帯式吸気殺菌装置を得るに至った。
【０００７】
本発明の第２特徴構成は、前記カバー体を構成するに、通気性を有しない椀状のマスク本体を設けるとともに、除塵フィルタを設けた前記吸気部を前記マスク本体に形成してあり、前記二酸化塩素徐放部は、前記除塵フィルタの内方側に配設してある点を特徴とする。
【０００８】
すなわち、吸気がマスク本体に形成してある吸気部に通流して、その吸気部に設けた除塵フィルタの内方側に配設してある二酸化塩素徐放部を通過するものであるから、例えば、除塵フィルタの内側に別のフィルタを設けて、それら除塵フィルタ及び別のフィルタに囲まれる空間を利用して二酸化塩素徐放部を形成することにより、構成の簡素化を図ることができる。
【０００９】
本発明の第３特徴構成は、前記カバー体を構成するに、通気性を有しない椀状のマスク本体を設けるとともに、前記二酸化塩素徐放部を設けた前記吸気部を前記マスク本体に形成してあり、そのマスク本体で覆われた内部空間に外気が流入する外気流入部を前記吸気部とは別に設け、その外気流入部からの流入量を調整する調整弁を設けてある点を特徴とする。
【００１０】
すなわち、前記マスク本体で覆われた内部空間に外気が流入する外気流入部を前記吸気部とは別に設け、前記外気流入部からの流入量を調整する調整弁を設けてあるので、吸気部から放出される二酸化塩素ガス濃度が高い場合には、調整弁を調整して外気流入部からの流入量を多くする、あるいは、吸気部から放出される二酸化塩素ガス濃度が低い場合には、調整弁を調整して外気流入部からの流入量を少なくすることにより、マスク本体で覆われた内部空間の二酸化塩素ガス濃度を適切に維持し易いものとなる。
【００１１】
本発明の第４特徴構成は、前記マスク本体にそのマスク本体で覆われた内部空間から外方への排気のみを許容する逆止弁を設けてある点を特徴とする。
【００１２】
すなわち、息を吸うときには、二酸化塩素徐放部が吸気中に二酸化塩素ガスを放出するので、作業者がウィルスや細菌に感染することを防止しながらも、息を吐くときには、呼気をマスク本体で覆われた内部空間から逆止弁を通過して外方へ排気するので、抵抗がほとんど無く息を吐き易く、加えて、二酸化塩素徐放部が呼気中に二酸化塩素ガスを放出することを防止して、長期間の使用が可能になる。
【００１３】
本発明の第５特徴構成は、前記カバー体が、通気性を有する布又は不織布の一方又は両方からなるマスクであり、そのマスクが前記吸気部を兼用して構成してあり、二酸化塩素ガスを放出可能な二酸化塩素徐放材を前記マスクの内部に保持して前記二酸化塩素徐放部を形成してある点を特徴とする。
【００１４】
すなわち、二酸化塩素ガスを放出可能な二酸化塩素徐放材を通気性を有する布又は不織布の一方又は両方からなるマスクの内部に保持することにより、二酸化塩素徐放部を形成できるので、マスクを簡単に装着するだけで作業者がウィルスや細菌に感染することを防止できる。
【００１５】
本発明の第６特徴構成は、前記吸気部を、前記カバー体に一端側が連通接続した可撓管の他端側に連通接続するように設け、前記吸気部に、二酸化塩素ガスを放出可能な二酸化塩素徐放材を設けた二酸化塩素発生源からなる前記二酸化塩素徐放部を形成してある点を特徴とする。
【００１６】
すなわち、二酸化塩素発生源からなる二酸化塩素徐放部を形成してある吸気部と、鼻又は口の一方又は両方を覆うカバー体とを可撓管にて連通接続することにより、吸気部をカバー体と離して設けることができるので、例えば、吸気部を背中や腰の周りに装着することで、二酸化塩素発生源により多くの二酸化塩素徐放材を設けることが可能となり、長期間の使用が可能になる。
【００１７】
本発明の第７特徴構成は、前記二酸化塩素発生源は、吸気を通流させる複数の筒状部が一体に形成される断面形状がハニカム状又は格子状の発生源本体を設け、その発生源本体における前記複数の筒状部の夫々の内方側に、前記二酸化塩素徐放材を付設して構成してある点を特徴とする。
【００１８】
すなわち、吸気部からの吸気が複数の筒状部を通過するときに、複数の筒状部の夫々の内方側に付設してある二酸化塩素徐放材が二酸化塩素ガスを吸気中に放出することになるので、吸気に二酸化塩素徐放材を接触させ易いものでありながらも、例えば、吸気が二酸化塩素徐放部を通過するのに較べて、吸気が複数の筒状部を通過するときの通気抵抗を少なくすることができるので、作業者が息苦しくなることを一層極力抑制して、作業者が一層快適に作業できる。
【００１９】
本発明の第８特徴構成は、前記二酸化塩素徐放材は、二酸化塩素ガスを吸着した吸着材から構成してあることにある。
【００２０】
すなわち、二酸化塩素ガスを吸着した吸着材は、簡単にマスクに取り付ける事ができ、しかも、吸着材からの徐放能力が低下しても、再び二酸化塩素ガスを吸着させることにより、再度使用できる。また、マスク内での吸気に伴う減圧によって、必要な時に吸着してある二酸化塩素ガスを、より効率よく放出させることができる。
【００２１】
本発明の第９特徴構成は、前記吸着材は、合成樹脂製のゲル剤、活性炭、ゼオライト、シリカゲルの内から選択される物、または、それらの混在物である請求項８に記載の携帯式吸気殺菌装置。
【００２２】
すなわち、吸着材としては、ゲル剤、活性炭、ゼオライト、シリカゲル等一般的に入手しやすいものが使用でき、安価なものを提供できる。
【００２３】
本発明の第１０特徴構成は、前記吸気部を、前記カバー体に一端側が連通接続した可撓管の他端側に連通接続するように設け、前記吸気部に、電気分解により二酸化塩素ガスを発生させる電解装置から成る前記二酸化塩素徐放部を形成してあることにある。
【００２４】
すなわち、電解装置の電源操作で簡単に二酸化塩素ガスは発生させることができ、発生量の調整や、停止も簡単に操作できる。
【００２５】
本発明の第１１特徴構成は、前記電解装置は、塩化アルカリ，亜塩化アルカリ、及びｐＨ調整剤が含まれた電解液を収容する電解槽と、その電解槽内の電解液中に浸漬する一対の電極と、その電極に電流を流す電源装置とを設けて構成してあることにある。
【００２６】
すなわち、電解装置は、電解槽と電極と電源装置という簡単な構成で造ることができ、全体として、安価にできる。
【００２７】
本発明の第１２特徴構成は、前記電解槽内の電解液を曝気する曝気装置を設けてあることにある。
【００２８】
すなわち、電解により発生する二酸化塩素ガスは、水中に溶解しやすいために、曝気装置を設けることにより、電解液に溶解した二酸化塩素ガスを、使用時に空気中に追い出して供給効率を上げることができる。
【００２９】
本発明の第１３特徴構成は、前記曝気装置は、一端を前記電解液中に挿入すると共に、他端を前記カバー体に接続する呼気吹込み可撓管を設けて構成してあることにある。
【００３０】
すなわち、呼気吹込み可撓管を設けるだけで、簡単に曝気装置ができ、しかも簡単な人為操作で気軽に液中に溶解した二酸化塩素ガスを空気中に取り出すことができる。
【００３１】
本発明の第１４特徴構成は、前記曝気装置は、電動式エアーポンプから成るものであることにある。
【００３２】
すなわち、電動式エアーポンプによって前記曝気装置を構成してあれば、電解液に溶解した二酸化塩素をガス化させて連続的に取出しすることが容易となる。
【００３３】
本発明の第１５特徴構成は、前記吸気部からの吸気に伴って、その吸気中の二酸化塩素ガスの濃度が０．００１ｐｐｍ〜０．３ｐｐｍになるように前記二酸化塩素徐放部を形成してある
【００３４】
すなわち、二酸化塩素ガスの濃度が０．００１ｐｐｍ未満である場合には、ウィルスを失活又は細菌を殺菌し難い。二酸化塩素ガスの濃度が０．３ｐｐｍ以上である場合には、人体に悪影響を及ぼす虞がある。したがって、吸気中の二酸化塩素ガスの濃度が０．００１ｐｐｍ〜０．３ｐｐｍになるようにすれば、ウィルスを失活又は細菌を殺菌し、且つ、人体に悪影響を及ぼすことを防止できる。
【図面の簡単な説明】
【００３５】
【図１】は、第１実施の形態における携帯式吸気殺菌装置の全体斜視図である。
【図２】は、第１実施の形態における携帯式吸気殺菌装置の横断面図である。
【図３】は、第２実施の形態における携帯式吸気殺菌装置の横断面図である。
【図４】は、第３実施の形態における携帯式吸気殺菌装置の全体斜視図である。
【図５】は、第４実施の形態における携帯式吸気殺菌装置の全体斜視図である。
【図６】は、別実施の形態における携帯式吸気殺菌装置の横断面図である。
【図７】は、別実施の形態における携帯式吸気殺菌装置の横断面図である。
【図８】は、別実施の形態における携帯式吸気殺菌装置の横断面図である。
【図９】は、別実施の形態における携帯式吸気殺菌装置の横断面図である。
【図１０】は、別実施の形態における二酸化塩素発生源及び二酸化塩素徐放部を示す図である。
【発明を実施するための最良の形態】
【００３６】
〔第１実施の形態〕
以下、本発明に係る携帯式吸気殺菌装置について説明する。
図１、図２に示すように、鼻及び口を覆うカバー体Ｃとしての通気性を有しない椀状のマスク本体１を設けるとともに、除塵フィルタ２を設けた吸気部Ｋをマスク本体１に形成してあり、その吸気部Ｋからの吸気に伴ってその吸気中に二酸化塩素ガスを放出可能な二酸化塩素徐放部Ｊを除塵フィルタ２の内方側に配設してある。そして、マスク本体１にそのマスク本体１で覆われた内部空間から外方への排気のみを許容する逆止弁３を設け、マスク本体１で覆われた内部空間に外気が流入する外気流入部７を吸気部Ｋとは別に設け、外気流入部７からの流入量を調整する調整弁としての大気弁８を設けてある。【００３７】
説明を加えると、鼻及び口を覆うカバー体Ｃとしての樹脂製の椀状のマスク本体１の頂部に、外気をマスク本体１の内部空間に吸気するための略円盤状の吸気部Ｋを設けてある。吸気部Ｋの側壁４の前後側の夫々に除塵フィルタとしての円形ろ紙２を間隔を隔てて設け、それら円形ろ紙２の間に二酸化塩素徐放材５としての粉粒状の二酸化塩素剤６を充填し、円形ろ紙２の周縁部と側壁４との隙間をパテにて埋めて、二酸化塩素徐放部Ｊを構成してある。そして、マスク本体１における吸気部Ｋの両横側にそのマスク本体１で覆われた内部空間から外方への排気のみを許容する逆止弁３を設け、マスク本体１における吸気部Ｋの上側に筒状の外気流入部７を設け、通風抵抗を変化させることにより外気流入部７からの流入量を調整する調整弁としての大気弁８を外気流入部７の途中に設けてある。【００３８】
前記粉粒状の二酸化塩素剤６について説明を加えると、８０ｗｔ％亜塩素酸ソーダを８．５８ｇ、ケイ酸塩鉱物（珪藻土、ゼオライト、カオリン、パーライト、ベントナイト等）からなる粒状体を２５．７１ｇ、塩化カルシウムを１５．７１ｇ秤量したのち、混合してある。そして、マスク本体１を実際に装着したときにおいて、二酸化塩素検知管にて二酸化塩素ガスの濃度を測定したところ、０．１ｐｐｍという値が検出された。この濃度は 
０．００１ｐｐｍ〜０．３ｐｐｍの間に位置するものであり、吸気中のウィルスを失活又は細菌を殺菌し、且つ、人体に悪影響を及ぼすことを防止できる。
尚、二酸化塩素ガスの濃度としては、０．０１〜０．３ｐｐｍが好ましく、０．１〜０．３ｐｐｍがさらに好ましい。【００３９】
又、二酸化塩素が保有する抗ウイルス作用、抗菌作用及び抗真菌作用を利用して、感染症の治療に応用することができる。
適用対象となるウイルス性疾患の原因病原体としては、例えば、インフルエンザウイルス（Ａ型、Ｂ型、Ｃ型）、鳥インフルエンザウイルス、コクサッキーウイルス（手足口病、無菌性髄膜炎、夏かぜ、熱性疾患、麻痺や気道性疾患の病原体）、エイズウイルス（ＨＩＶ）、ＨＨＶ−１（単純ヘルペスウイルス１型（ＨＳＶ−１）），ＨＨＶ−２（単純ヘルペスウイルス２型（単純ヘルペスウイルス２型（ＨＳＶ−２）），ＨＨＶ−３（水痘・帯状疱疹ウイルス（ＶＺＶ）），ＨＨＶ−５（サイトメガロウイルス（ＣＭＶ）），アデノウイルス、エンテロウイルスなど、幅広く挙げることができる。
細菌性疾患の原因菌としては、例えば黄色ブドウ球菌、緑膿菌、連鎖球菌、淋菌、梅毒菌、などが挙げられる。また、真菌性疾患の病原菌としては、例えば、白癬菌、マラセチア菌、カンジダなどが挙げられる。【００４０】
又、通常、二酸化塩素ガスを発生させるためには、酸及び水分が必要であるが、本発明では、大気中の二酸化炭素ガス及び水分、並びに、呼気中の二酸化炭素ガス及び水分を利用することができる。【００４１】
〔第２実施の形態〕
以下、本発明に係る携帯式吸気殺菌装置について説明する。
図３に示すように、鼻及び口を覆うカバー体Ｃが、通気性を有する布１１ａからなるマスク１１であり、二酸化塩素徐放材５をマスク１１の内部に保持してそのマスク１１からの吸気に伴ってその吸気中に二酸化塩素ガスを放出可能な二酸化塩素徐放部Ｊを形成してある。【００４２】
説明を加えると、マスク１１は、複数の布１１ａを厚さ方向に重ねて層状に形成してあり、通気性を有する袋１２に二酸化塩素徐放材５としての粉粒状の二酸化塩素剤６を充填して偏平状のバッグ１３を構成し、そのバッグ１３をそれら布１１ａの間に挿入して二酸化塩素徐放部Ｊを形成してある。したがって、マスク１１が吸気部Ｋを兼用して構成してある。【００４３】
〔第３実施の形態〕
以下、本発明に係る携帯式吸気殺菌装置について説明する。
図４に示すように、吸気部Ｋを、鼻及び口を覆うカバー体Ｃに一端側が連通接続した可撓管の他端側に連通接続するように設け、吸気部Ｋに、その吸気部Ｋからの吸気に伴ってその吸気中に二酸化塩素ガスを放出可能な二酸化塩素徐放部Ｊを形成し、その二酸化塩素徐放部Ｊは、二酸化塩素ガスを放出可能な二酸化塩素徐放材５を設けた二酸化塩素発生源Ｈからなる。【００４４】
説明を加えると、容量が２００ｍｌのポリエチレン容器１６と、鼻及び口を覆うカバー体Ｃとしての保形性を有する耳かけ式の綿マスク１７とを、可撓管としてのポリエチレンチューブ１４にて連通接続してある。ポリエチレン容器１６の内部に、二酸化塩素徐放材５としてのゲル状の二酸化塩素剤１９を１／３程度まで充填して二酸化塩素発生源Ｈからなる二酸化塩素徐放部Ｊを形成し、ポリエチレン容器１６に吸気口（図示せず）を設けて吸気部Ｋを形成してある。ポリエチレンチューブ１４とポリエチレン容器１６との接続箇所に開閉弁２１を設けてある。【００４５】
前記ゲル状の二酸化塩素剤１９について説明を加えると、亜塩素酸リチウム５０ｇを水９５０ｍｌに溶解して５００００ｐｐｍの亜塩素酸リチウム水溶液（液Ａ）を調整し、二酸化塩素ガスを水中にバブリングして溶解することにより２５００ｐｐｍの二酸化塩素水溶液（液Ｂ）を調整し、亜塩素酸リチウム１０ｇを水９９０ｍｌに溶解して１００００ｐｐｍの亜塩素酸リチウム水溶液を調整した後、これにクエン酸５ｇを溶解してクエン酸を含有する亜塩素酸リチウム水溶液（液Ｃ）を調整し、次に、前記亜塩素酸リチウム水溶液２００ｍｌ（液Ａ）、前記二酸化塩素水溶液７００ｍｌ（液Ｂ）及び前記クエン酸を含有する亜塩素酸リチウム水溶液１００ｍｌ（液Ｃ）を混合し室温で十分に攪拌して二酸化塩素剤１０００ｍｌ（液Ｄ）を調整し、そして、前記二酸化塩素剤３８４ｍｌ（液Ｄ）を架橋ポリアクリル酸塩系の高吸水性樹脂１６ｇに添加し、これを室温で十分に攪拌してある。
そして、綿マスク１７を実際に装着したときにおいて、二酸化塩素検知管にて二酸化塩素ガスの濃度を測定したところ、０．１ｐｐｍという値が検出された。この濃度は０．００１ｐｐｍ〜０．３ｐｐｍの間に位置するものであり、吸気中のウィルスを失活又は細菌を殺菌し、且つ、人体に悪影響を及ぼすことを防止できる。
なお、二酸化塩素がポリエチレンチューブ１４の内部においてカバー体Ｃに向けて強制的に送られる電動式の送風ファンを設けることもできる。【００４６】
〔第４実施の形態〕
前記吸気部Ｋを、前記カバー体Ｃに一端側が連通接続した可撓管の他端側に連通接続するように設け、前記吸気部Ｋに、前記二酸化塩素徐放部として、図５に示すように、二酸化塩素ガスを電気分解により発生させる電解装置を設けてある。
その電解装置としては、塩化カリウムから成る塩化アルカリ，亜塩素酸ナトリウムからなる亜塩化アルカリ、及びリン酸水素２カリウム（Ｋ２ＨＰＯ４）から成るｐＨ調整剤が含まれた電解液３２を収容する電解槽（円筒形のポリエチレン容器１６）と、前記電解槽内の電解液３２中に浸漬する一対の陽極２８と陰極２９から成る電極と、その電極に電流を流す電源装置３３とを設けて構成してある。
その電解装置と吸気部とを連通接続する可撓管は、電解槽から発生する二酸化塩素ガスをカバー体Ｃ内に吸気するポリエチレンチューブ１４で形成してあり、前記陽極２８はＰｔ/Ｉｒメッキチタン電極（１５ｍｍ×５０ｍｍ）で、陰極２９はチタン極（１５ｍｍ×５０ｍｍ）で形成してある。
また、前記電源装置３３は、乾電池３１などの電源と、陽極２８及び陰極２９とを電流調整装置３０を介して接続して構成して、電気量の調節をして二酸化塩素ガスの発生流量を調整自在にしてある。【００４７】
前記電解装置には、電解槽内の電解液３２を曝気する曝気装置３４を設け、その曝気装置３４は、一端を電解液３２中に挿入すると共に、他端をカバー体Ｃに接続するポリエチレンチューブから成る呼気吹込み可撓管１５を設けて構成してある。そして、カバー体Ｃ内の呼気吹込み可撓管１５の他端に、使用者の口で呼気を吹き込むことにより、電解液３２内を曝気して、液中に溶解している二酸化塩素ガスを追い出すことができるようにしてある。【００４８】
尚、前記曝気装置３４としては、呼気吹込み可撓管１５を設ける代わりに、電動式エアーポンプを設けてあっても良い。【００４９】
〔別実施の形態〕
（１）上記第１実施の形態では、吸気部Ｋの側壁４の前後側の夫々に円形ろ紙２を間隔を隔てて設け、それら円形ろ紙２の間に二酸化塩素徐放材５としての粉粒状の二酸化塩素剤６を充填して二酸化塩素徐放部Ｊを構成する構成を例示したが、このような構成に代えて、吸気部Ｋの側壁４の前後側の夫々に円形ろ紙２を間隔を隔てて設け、それら円形ろ紙２の間に二酸化塩素徐放材５としてのゲル状の二酸化塩素剤１９をそれら円形ろ紙２と間隔を隔てて配設して二酸化塩素徐放部Ｊを構成してもよく、吸気部Ｋの側壁４の前側に円形ろ紙２を設け、通気性を有する袋１２に二酸化塩素徐放材５としての粉粒状の二酸化塩素剤６を充填して偏平状のバッグ１３を構成し、円形ろ紙２の内方側にバッグ１３を取り付けて二酸化塩素徐放部Ｊを構成してもよく、また、円形ろ紙２の内方側に低濃度の圧縮二酸化塩素ガスを充填した小型ボンベから接続した連通管を配設して二酸化塩素徐放部Ｊを構成してもよい。【００５０】
（２）上記第１の実施の形態では、マスク本体１にそのマスク本体１で覆われた内部空間から外方への排気のみを許容する逆止弁３を設けてある構成を例示したが、逆止弁３を設けなくてもよい。【００５１】
（３）上記第２の実施の形態では、カバー体Ｃが、通気性を有する布１１ａからなるマスク１１である構成を例示したが、このような構成に代えて、カバー体Ｃが、通気性を有する不織布からなるマスクでもよく、あるいは、カバー体Ｃが、通気性を有する布１１ａ及び不織布の両方からなるマスク１１であってもよい。つまり、マスク１１は、複数の布１１ａを厚さ方向に重ねて層状に形成してあるものに限られるものではなく、複数の不織布を厚さ方向に重ねて層状に形成したり、複数の布１１ａ及び不織布を厚さ方向に重ねて層状に形成してもよい。
さらに、鼻及び口を覆うカバー体Ｃが、通気性及び保形性を有する椀状のマスクでもよい。この場合において、椀状のマスクの内方側に粒状の二酸化塩素徐放材５をマスクに散在する状態で複数設けたり、あるいは、椀状のマスクの内方側に偏平状の二酸化塩素徐放材５を鼻及び口に対向する状態で設けてもよい。このような構成を採用することで、二酸化塩素ガスがマスクの外側に漏れ出るのを極力防止することができる。【００５２】
（４）上記第２実施の形態では、厚さ方向に重ねた複数の布１１ａの間にバッグ１３を挿入して二酸化塩素徐放部Ｊを形成してある構成を例示したが、このような構成に代えて、図６に示すように、厚さ方向に重ねた複数の布１１ａの間に二酸化塩素徐放材５を散在する状態で複数設けて二酸化塩素徐放部Ｊを形成してもよく、図７に示すように、厚さ方向に重ねた複数の布１１ａの一つにゲル状の二酸化塩素剤１９を染み込ませて二酸化塩素徐放部Ｊを形成してもよい。さらに、図８、図９に示すように、マスクの外方側（鼻及び口とは反対側）にワイヤ２２や板２３を設け、それらワイヤ２２や板２３の内方側に二酸化塩素徐放材５を設けてもよい。このような構成を採用することで、二酸化塩素ガスがマスクの外側に漏れ出るのを極力防止することができる。【００５３】
（５）上記第３実施の形態では、ポリエチレン容器１６の内部に、二酸化塩素徐放材５としてのゲル状の二酸化塩素剤１９を１／３程度まで充填して二酸化塩素発生源Ｈからなる二酸化塩素徐放部Ｊを形成し、ポリエチレン容器１６に吸気のための孔（図示せず）を設けて吸気部Ｋを形成してある構成を例示したが、このような構成に代えて、図１０に示すように、容器２４内に、吸気の通流方向に沿いかつ吸気を通流させる複数の筒状部２５が一体に形成される断面形状がハニカム状の発生源本体２６を設け、その発生源本体２６における複数の筒状部２５の夫々の内方側に二酸化塩素徐放材５を付設して二酸化塩素発生源Ｈからなる二酸化塩素徐放部Ｊを形成し、容器２４における吸気の通流方向上流側に吸気２７を設けて吸気部Ｋを形成してもよい。さらに、発生源本体２６は、その断面形状がハニカム状に限られるものではなく、三角格子や四角格子等の格子状等、各種の形態で実施することができる。【００５４】
（６）上記各実施の形態では、鼻及び口を覆うカバー体Ｃを設ける構成を例示したが、このような構成に代えて、鼻のみを覆うカバー体Ｃを設けたり、口のみを覆うカバー体Ｃを設ける構成としてもよい。鼻のみを覆うカバー体Ｃとして、具体的には、鼻の穴に挿入して使用する鼻マスクや、鼻の下に通してあるチューブなどが挙げられる。【００５５】
（７）上記第１及び第２実施の形態では、二酸化塩素徐放材５が亜塩素酸ソーダ、ケイ酸塩鉱物、塩化カルシウムからなる粉粒状の二酸化塩素剤６である構成を例示したが、さらに、クエン酸等のｐＨ調整材を加えてもよい。【００５６】
（８）前記二酸化塩素徐放材５としては、二酸化塩素ガスを吸着した吸着材から構成して、その吸着材は、合成樹脂製のゲル剤、活性炭、ゼオライト、シリカゲルの内から選択される物、または、それらの混在物であっても良い。
【産業上の利用可能性】
【００５７】
本発明は、鼻又は口の一方又は両方を覆うカバー体と、そのカバー体の内部空間への吸気部と、その吸気部からの吸気に伴ってその吸気中に二酸化塩素ガスを放出可能な二酸化塩素徐放部と、を備える各種の携帯式吸気殺菌装置に適応可能である。
【図１】
2009051018.tif 000003
【図２】
2009051018.tif 000004
【図３】
2009051018.tif 000005
【図４】
2009051018.tif 000006
【図５】
2009051018.tif 000007
【図６】
2009051018.tif 000008
【図７】
2009051018.tif 000009
【図８】
2009051018.tif 000010
【図９】
2009051018.tif 000011
【図１０】
2009051018.tif 000012
【国際調査報告】
2009051018.tif 000013
2009051018.tif 000014